(57)【要約】      （修正有）【課題】より安全で作動の確実な衝撃解錠阻止及び破壊阻止機能を有する磁気カード式施錠装置を提供すること。【解決手段】この磁気カード式シリンダ施錠装置は、磁気カードキーが一対のシールドプレート１４と非磁性カバープレート１５間に挿入可能であって、ボールプランジャ１３がシールドプレート１４の両側面に接触するよう配置して表板１１に設置されていて、磁気カードキー２７の挿入により錠止磁石ピンが錠止め板１６から後退し、シールドプレート１４が摺動コア１７と一緒に下降し、このときには、ボールプランジャ１３がシールドプレート１４の曲げ切欠き部１４ａに入り込みシールドプレート１４を保持することを特徴とする。【選択図】図１
2006241781.tif 000002
【特許請求の範囲】
【請求項１】
表板１１、板ばね１２、シールドプレート１４、非磁性カバー板１５、錠止め板１６、錠止磁石ピン２８を収容する摺動コア１７、クラッチ板２０、歯車板２１、裏板２２の順にシリンダハウジング１０とハウジングカバープレート２４の内に収納されていて、磁気カードキー２７を一対のシールドプレート１４と非磁性カバープレート１５間に挿入可能である施錠装置において、ボールプランジャ１３がシールドプレート１４の両側面に接触するよう配置して表板１１に設置されていて、磁気カードキー２７の挿入により錠止磁石ピン２８が錠止め板１６から後退し、シールドプレート１４が摺動コア１７と一緒に下降し、このときには、ボールプランジャ１３がシールドプレート１４の曲げ切欠き部１４ａに入り込みシールドプレート１４を保持することを特徴とする磁気カード式シリンダ施錠装置。
【請求項２】
シールドプレート１４は摺動コア１７と一緒に移動でき、その上下移動によってシールドプレート１４の摺接部１４ｂを表板１１のスロープカム部１１ａに摺接して、シリンダハウジング１０の軸線方向にリフトされてカードキー２７を付勢することを特徴とする請求項１に記載の磁気カード式シリンダ施錠装置。
【請求項３】
摺動コア１７の下端にバネを介して設置された解除レバー１８と、係合穴２０ａを備えるクラッチ板２０と、摺動コア１７の背部に設けていて振り子１９の振動によりクラッチ板２０の穴２０ａに振り子突起部１９ｂを係合させる振り子体１９とから成るエスケープ機構を備えることを特徴とする請求項１或いは請求項２に記載の磁気カード式シリンダ施錠装置。
【請求項４】
振動をシリンダハウジング１０に与えると、振り子体１９がクラッチ板２０から外れて、クラッチ板２０が歯車板２１との噛み合いを解除して施解錠を出来なくすることを特徴とする請求項１乃至請求項３のいずれか一項に記載の磁気カード式シリンダ施錠装置。
【請求項５】
摺動コア１７の下降された状態においてカードキー２７を引き抜くと、解除レバー１８が振り子体１９を摺動コア１７内に引き込み、クラッチ板２０が上昇方向にもどされ、歯車板２１との噛み合いを解除して施解錠を出来なくすることを特徴とする請求項１乃至請求項３のいずれか一項に記載の磁気カード式シリンダ施錠装置。
【請求項６】
シリンダハウジング１０に設置される各種の部材１１−２２が一ユニットとして収容されることを特徴とする請求項１乃至請求項５のいずれか一項に記載の磁気カード式シリンダ施錠装置。
【発明の詳細な説明】
【技術分野】
【０００１】
この発明は、一般に磁気施錠装置、特に賃貸マンション、アパート、ホテル、事務所や駐車場などのドアの錠として使用するのに適しているカード磁気キーなどのキーを使用する磁気カード式シリンダ施錠装置に関する。
【背景技術】
【０００２】
この種の磁気カード式施錠装置は、特にホテルや賃貸マンションなどのカードキーを複製して使用される恐れがあり、客の使用後に磁気施錠装置のコード設定を変更して、盗難防止している（例えば、特許文献１参照）。しかしながら、この磁気施錠装置には、磁気錠のコード設定を変更するために設定変更工具を差し込む孔が設けられおり、この孔から特殊な器具を差し込み、磁気錠を破壊して、盗難等の事故をまねくことが発生していた。これら事故を防ぐためにシールドプレートと摺動コアと一緒に移動させて差し込み孔を遮蔽する破壊阻止機構を備える磁気カード式施錠装置が本件出願人によって開発されている（例えば、特許文献２参照）。
【０００３】
また、これら磁気カード式錠は一般には壁やドアの内部に組み込まれるように設計されていて、キー挿入スロット或いは壁やドアの表面に衝撃を加えても、滅多に解除されることはなかったが、これら磁気錠が箱に納められて壁の表面や駐車場の入り口の柱などに取り付ける形式では、錠の頭部に衝撃を加えることが可能であり、強い打撃を加えることで磁気ピンを上下に揺らすことができ、衝撃を与えながらカードキー形状のものを挿入して解錠される事故も発生していた。衝撃を加えるなどの不正解錠操作に対して対策された磁気ピンによる衝撃解錠阻止機構を備える磁気カード錠も種々開発されている（例えば、特許文献３、４参照）。
【０００４】
しかしながら、特許文献２に記載の破壊阻止機構を備える磁気カード式施錠装置は、図４において図示されるように、カム３０とカムバネ３１によりカードキー２７をシールドプレート１４に付勢させる構成であるので、カードキー２７の保持位置精度が出難くく、カードキー２７が直接に付勢されるために、抜き差しに抵抗が発生すると同時に、シールドプレート１４が擦れ摩耗し易いので、それで生じた隙間に紙を挿入してカードキー２７を引き抜き後も、キーの挿入状態を維持する悪戯などを引き起こすこともあった。
【０００５】
先行技術の磁気カード錠は、図５において図示されるように、プラスチック摺動コア１７のドライブピン１７ｂと歯車板２１との連動により施開錠動作されており、外部から破壊を受けると、摺動コア１７が破損して歯車板２１を圧迫させ、連動状態となり施開錠ができてしまう可能性がある。また、シリンダハウジング１０に振動を与えると、錠止磁石ピン２８が振動により後退し、場合によっては、正規のカードキー２７でなくとも、摺動コア１７が下げられ、ドライブピン１７ｂと歯車板２１とが噛み合ってしまい、施開錠ができてしまう可能性がある。更に、正規のカードキー２７を挿入し、摺動コア１７が下げられ、カードキー２７を引き抜き後に、異物等により摺動コア１７が下がったままでなると、施開錠ができてしまう可能性がある。
【特許文献１】特公昭６１−３５３４９号公報
【特許文献２】特許出願２００４−１８４８５号
【特許文献３】実開平１ー９２４７６号公報のマイクロフィルム
【特許文献４】特許出願２００４−３５０５９号
【発明の開示】
【発明が解決しようとする課題】
【０００６】
この発明の課題は、従来の磁気錠装置における衝撃解錠阻止や破壊阻止機能をより改善してより安全で作動の確実な衝撃解錠阻止及び破壊阻止機能を有する磁気カード式施錠装置を提供することである。
【課題を解決するための手段】
【０００７】
この課題は、表板、板ばね、シールドプレート、非磁性カバー板、錠止め板、錠止磁石ピンを収容する摺動コア、クラッチ板、歯車板、裏板の順にシリンダハウジングとハウジングカバープレートの内に収納されていて、磁気カードキーを一対のシールドプレートと非磁性カバープレートとの間に挿入可能である施錠装置において、ボールプランジャがシールドプレートの両側面に接触するよう配置して表板に設置されていて、磁気カードキーの挿入により錠止磁石ピンが錠止め板から後退し、シールドプレートが摺動コアと一緒に下降し、このときには、ボールプランジャがシールドプレートの曲げ切欠き部に入り込みシールドプレートを保持することによって解決されて破壊阻止機能を有する磁気カード式施錠装置を提供する。
【０００８】
この発明の破壊阻止機能を有する磁気カード式施錠装置は、シールドプレートが摺動コアと一緒に移動でき、その上下移動によってシールドプレートの摺接部を表板のスロープカム部に摺接して、シリンダハウジングの軸線方向にリフトされてカードキーを付勢することを特徴とする。
【０００９】
この発明の破壊阻止機能兼衝撃解錠阻止磁機能を有する磁気カード式施錠装置は、摺動コアの下端にバネを介して設置された解除レバーと、係合穴を備えるクラッチ板と、摺動コアの背部に設けていて振り子の振動によりクラッチ板の穴に振り子突起部を係合させる振り子体とから成るエスケープ機構を備えることを特徴とする。
【００１０】
この発明の衝撃解錠阻止磁機能を有する磁気カード式施錠装置は、シリンダハウジングに振動を与えると、振り子体がクラッチ板から外れて、クラッチ板が歯車板との噛み合いを解除して施解錠を出来なくすることを特徴とする。
【００１１】
この発明の衝撃解錠阻止磁機能を有する磁気カード式施錠装置は、摺動コアの下降された状態においてカードキーを引き抜くと、解除レバーが振り子体を摺動コア内に引き込み、クラッチ板が上昇方向にもどされ、歯車板との噛み合いを解除して施解錠を出来なくすることを特徴とする。
【００１２】
この発明の磁気カード式施錠装置は、シリンダハウジングに設置される各種の部材、即ち表板、板ばね、シールドレート、非磁性カバー板、錠止め板、錠止磁石ピンを収容する摺動コア、クラッチ板、歯車板、裏板の順にシリンダハウジングとハウジングカバープレートの内に収納される一ユニットとして収容されることを特徴とする。
【発明の効果】
【００１３】
この発明の磁気カード式施錠装置によると、ボールプランジャがシールドプレートの両側面に接触するよう配置して表板に設置されていて、磁気カードキーの挿入により錠止磁石ピンが錠止め板から後退し、シールドプレートが摺動コアと一緒に下降し、このときには、ボールプランジャがシールドプレートの曲げ切欠き部に入り込みシールドプレートを保持することによって、シールドプレートと摺動コアが下がり切った状態で初めて施錠設定変更用工具を挿入するためにハウジングに設けられた穴がシールドプレートの穴と一致するので設定変更用工具を使用してコード設定を変更できる。下がり切るまでは、シールドプレートの穴とハウジングに設けられた穴とはずれているので、シールドプレートでハウジングに設けられた穴が塞がれるから、針金などによる悪戯が防止され、外部から摺動コアの破損も防止できる。また、シールドプレートをボールプランジャで直接保持するから、位置精度が出易い。そしてカードキーには、保持力が働かないから、抜き差しがし易く、摩耗も少ないと言う利点を有する。
【００１４】
この発明の磁気カード式施錠装置によると、シールドプレートが摺動コアと一緒に移動でき、その上下移動によってシールドプレートの摺接部を表板のスロープカム部に摺接して、シリンダハウジングの軸線方向にリフトされてカードキーを付勢することによって、シールドプレートと蓋板との隙間を零にさせて、カードキーの錠止磁石ピンとの距離を縮めて反応をし易くなる。
【００１５】
この発明の磁気カード式施錠装置によると、解除レバーと、係合穴を備えるクラッチ板と、摺動コアの背部に設けてクラッチ板と係合させる振り子体とから成るエスケープ機構を備えていて、クラッチ板（鉄板）を設けるので、外部からの破壊を受けても、歯車板をクラッチ板で覆い、摺動コアを破壊されても、歯車板が圧迫を受けない様にした。
【００１６】
この発明の磁気カード式施錠装置によると、微振動をシリンダハウジングに与えても、振り子体が振り子運動をしてクラッチ板から外れて、クラッチ板が歯車板との噛み合いを解除して施解錠を出来なくなる。振動対策として、高価な特殊マグネットピンを使用しなくてもすむ。
【００１７】
この発明の磁気カード式施錠装置によると、何らかの原因により、摺動コアの下降された状態になっても、カードキーを引き抜くと、解除レバーが振り子体を摺動コア内に引き込み、クラッチ板が上昇方向にもどされ、歯車板との噛み合いを解除して施解錠を出来なくなる。
【００１８】
この発明の磁気カード式施錠装置によると、シリンダハウジングに設置される各種の部材、即ち表板、板ばね、シールドプレート、非磁性カバー板、錠止め板、錠止磁石ピンを収容する摺動コア、クラッチ板、歯車板、裏板の順にシリンダハウジングとハウジングカバープレートの内に収納される一ユニットとして収容されるので、シリンダハウジング内に一方向から簡単に組み立てることができ、生産性が向上する。
【発明を実施するための最良の形態】
【００１９】
この発明の磁気カード式施錠装置は、図面に記載された実施形態に基づいて詳細に説明する。図１は、この発明の磁気カード式施錠装置の分解組立斜視図であり、図２はこの発明の磁気カード式施錠装置のムービングシールドプレートの作動状態の平断面図（左）と側断面図（右）であって、図２ａはカードキーの挿入前の状態を示し、図２ｂはカードキーの挿入途中状態を示し、図２ｃはカードキーの挿入して摺動コアの受け部に到達した状態を示し、図２ｄはカードキーの挿入して摺動コアの下降した状態を示し、図３はこの発明の磁気カード式施錠装置のエスケープ機構の作動状態の平断面図（左）と側断面図（右）であって、図３ａはカードキーの挿入前の状態を示し、図３ｂはカードキーの挿入して摺動コアの受け部に到達した状態を示し、図３ｃはカードキーの挿入して摺動コアの下降した状態を示し、図３ｄはカードキーを少し引いた状態を示し、図４は従来の磁気カード式施錠装置のシールドレートの作動状態を示し、図５は従来の磁気カード式施錠装置の施開錠作動状態を示す。
【実施例】
【００２０】
図１は、この発明の磁気カード式施錠装置の分解組立斜視図であり、この施錠装置のシリンダハウジング１０とハウジングカバープレート２４の内には、表板１１、板ばね１２、シールドプレート１４、非磁性カバー板１５、錠止め板１６、錠止磁石ピン２８を収容する摺動コア１７、クラッチ板２０、歯車板２１、裏板２２の順にこれらの部材を一ユニットとして収納されている。それ故に、この施錠装置では、これらの部材をシリンダハウジング１０内に一方向から簡単に組み立てることができ、ボルト２５によってハウジングカバープレート２４を止めて一ユニットと成すので、組立ての生産性が向上できる。
【００２１】
図２はこの発明の磁気カード式施錠装置のムービングシールドプレート１４の作動状態の平断面図（左）と側断面図（右）であって、図２ａはカードキー２７の挿入前の状態を示す。図２ｂはカードキー２７の挿入途中状態を示し、磁気カードキー２７を一対のシールドプレート１４と非磁性カバープレート１５間に挿入すると、ムービングシールドプレート１４が開かれる状態を示す。この状態では、まだ、錠止磁石ピン２８はプラスチック摺動コア１７から飛び出し、錠止め板１６の穴に入り込んだ状態である。
【００２２】
図２ｃはカードキー２７の挿入してプラスチック摺動コア１７の受け部に到達した状態を示し、カードキー２７の磁気と錠止磁石ピン２８の磁気が照合し、錠止磁石ピン２８が錠止め板１６から後退して、摺動コアの孔１７ｄ内に引っ込んだ状態である。
【００２３】
図２ｄはカードキー２７の挿入して摺動コア１７の下降した状態を示し、上記過程において、プラスチック摺動コア１７に入り込んだムービングシールドプレート１４は、カードキー２７と摺動コア１７に追従して下降し、そのシールドプレート１４の曲げ摺接部１４ｂを表板１１に設けられたスロープカム部１１ａに接触して移動し、（図２ｃｘから図２ｄｘへのように）シリンダハウジング１０の軸線方向にリフトされ、カードキー２７をカバー板１５に近づける動作を行う。
【００２４】
また、その時、ムービングシールドプレート１４の両側面に設けられた曲げ切欠き部１４ａ（図２ｃｙ及び図２ｄｙ参照）にボールプランジャ１３が入り込み、ムービングシールドプレート１４を保持する。図２ｃｘと図２ｄｘはスロープカム部１１ａと曲げ摺接部１４ｂの拡大図である。図２ｃｙと図２ｄｙはムービングシールドプレート１４とボールプランジャ１３の平面（左）と側面（右）の拡大図である。
【００２５】
カードキー２７を抜くと、図２ｂと同様に、ムービングシールドプレート１４の下端部がカバー板１５の側に寄せられるために、ムービングシールドプレート１４はボールプランジャ１３から外れ、図２ａの挿入前の状態に復帰する。
【００２６】
この発明のムービングシールドプレート１４は設定工具の貫通穴１４ｄの位置をずらして置き、正規のカードキー２７の挿入により、摺動コア１７が下がると同時に、追従させ、下がりきった状態で初めて、設定工具穴は同軸上の表板１１の穴１１ｄ、ムービングシールドプレート１４の穴１４ｄ、カバー板１５の穴１４ｄと錠止め板１６の穴に一致するようになっている。
【００２７】
このムービングシールドプレート１４が下降する時、図２ｃｘから図２ｄｘへのようにシリンダハウジング１０の軸線方向にリフトされ、カバー板１５との隙間を零にさせることによって、カードキー２７の磁石ピン２８との距離を縮めることにより両者を反応し易くする。
【００２８】
また、シールドプレート１４をボールプランジャ１３で直接保持するから、位置精度が出易い。そしてカードキー２７には、保持力が働かないから、抜き差しがし易く、摩耗も少ない。                                                                        
【００２９】
図３はこの発明の磁気カード式施錠装置のエスケープ機構の作動状態の平断面図（左）と側断面図（右）であって、図３ａはカードキー２７の挿入前の状態を示す。図３ｂはカードキー２７の挿入して摺動コア１７の受け部に到達した状態、シリンダハウジング１０にカードキー２７を挿入すると、解除レバー１８が矢印方向ｘに押され、振り子体１９の突出部１９ｂがクラッチ板２０の係合穴２０ａに入り込み、プラスチック摺動コア１７に追従して、クラッチ板２０が下降できる状態になっている。
【００３０】
図３ｃはを示し、正規のカードキー２７の挿入により、摺動コア１７が下がると同時に、振り子体１９に引っ掛かったクラッチ板２０が下がり、クラッチ板２０に設けられた突起が歯車板２１に噛み合った状態となる。この状態において、シリンダハウジング１０を回転させると、歯車板２１が連動して施開錠動作できる。
【００３１】
図３ｄはカードキー２７を少し引いた状態を示し、この時に、解除レバー１８がコイルばね２９矢印方向ｘと逆に戻されるために、振り子体１９が時計廻りに引かれ、クラッチ板２０から外れる。その為に、クラッチ板２０はコイルばね２６の力により矢印方向ｙに（カードキー２７を引き抜く方向に）戻されて、歯車板２１との噛み合いが解除する。
【００３２】
この発明のエスケープ機構では、クラッチ板２０（鉄板）を備えるので、外部からの破壊を受けてもクラッチ板２０（鉄板）を設けることにより、歯車板２１を覆い、プラスチック摺動コア１７が破損されても、歯車板２１が圧迫を受けないようになっている。
【００３３】
この発明のエスケープ機構では、また、微振動でも振り子運動をする振り子体１９を備え、シリンダハウジング１０に振動を与えると、振り子体１９がクラッチ板２０から外れ、そしてクラッチ板２０は図３ｄの状態になり、歯車板２１との噛み合いを解除し、施開錠をできなくする。
【００３４】
この発明のエスケープ機構では、更に、解除レバー１８を備えるので、何らかの原因により、プラスチック摺動コア１７が下りた状態になっても、カードキー２７を引き抜くと、解除レバー１８が図３ｂとは逆の動作をし、振り子体１９を引き込み、そしてクラッチ板２０は矢印方向ｙに戻され、歯車板２１との噛み合いを解除し、施開錠をできなくする。
【図面の簡単な説明】
【００３５】
【図１】この発明の磁気カード式施錠装置の分解組立斜視図である。
【図２ａ】この発明の磁気カード式施錠装置のムービングシールドレートの作動状態の平断面図（左）と側断面図（右）であって、カードキーの挿入前の状態を示す。
【図２ｂ】カードキーの挿入途中状態を示す。
【図２ｃ】カードキーの挿入して摺動コアの受け部に到達した状態を示し、図２ｃｘと図２ｃｙは図２ｃの部分拡大図を示す。
【図２ｄ】カードキーの挿入して摺動コアの下降した状態を示し、図２ｄｘと図２ｄｙは図２ｄの部分拡大図を示す。
【図３ａ】この発明の磁気カード式施錠装置のエスケープ機構の作動状態の平断面図（左）と側断面図（右）であって、カードキーの挿入前の状態を示す。
【図３ｂ】カードキーの挿入して摺動コアの受け部に到達した状態を示す。
【図３ｃ】カードキーの挿入して摺動コアの下降した状態を示す。
【図３ｄ】カードキーを少し引いた状態を示す。
【図４】従来の磁気カード式施錠装置のシールドレートの作動状態を示す。
【図５】従来の磁気カード式施錠装置の施開錠作動状態を示す。
【符号の説明】
【００３６】
１０．．．．．シリンダハウジング
１０ｄ．．．．シリンダハウジングの設定工具貫通穴
１０Ａ．．．．シリンダアッセンブリー
１１．．．．．表板
１１ｄ．．．．表板の設定工具貫通穴
１２．．．．．板ばね
１３．．．．．ボールプランジャ
１４．．．．．シールドプレート
１４ａ．．．．シールドプレートの曲げ切欠き部
１４ｂ．．．．シールドプレートの曲げ突出部
１４ｄ．．．．シールドプレートの設定工具貫通穴
１５．．．．．．磁性カバー板、
１６．．．．．．錠止め板
１７．．．．．．摺動コア
１７ａ．．．．．摺動コアの摺動部材
１７ｂ．．．．．摺動コアの固定部材
１８．．．．．．解除レバー１８
１８ａ．．．．．解除レバー１８用のコイルばね
１９．．．．．．振り子体
１９ｂ．．．．．振り子の突起部
２０．．．．．．クラッチ板
２０ａ．．．．．クラッチ板の係合穴
２０ｂ．．．．．クラッチ板の突起部
２１．．．．．．歯車板２１
２２．．．．．．設置裏板
２３．．．．．．巻きばね
２４．．．．．．ハウジングカバープレート
２５．．．．．．ボルト
２６．．．．．．コイルばね
２７．．．．．．カードキー
２８．．．．．．錠止磁石ピン
２９．．．．．．コイルばね
３０．．．．．．カム
３１．．．．．．カムバネ
【図１】
2006241781.tif 000003
【図２ａ】
2006241781.tif 000004
【図２ｂ】
2006241781.tif 000005
【図２ｃ】
2006241781.tif 000006
【図２ｄ】
2006241781.tif 000007
【図３ａ】
2006241781.tif 000008
【図３ｂ】
2006241781.tif 000009
【図３ｃ】
2006241781.tif 000010
【図３ｄ】
2006241781.tif 000011
【図４】
2006241781.tif 000012
【図５】
2006241781.tif 000013